【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
コンテンツを登録し、登録されているコンテンツを公開するウェブシステムであって、
コンテンツの登録を行ったユーザから前記コンテンツの限定公開の指示を受け付ける限定公開受付手段と、
前記限定公開受付手段により限定公開の指示を受け付けた前記コンテンツを購入するためのカートに前記コンテンツを登録する登録要求を受け付ける登録要求受付手段と、
前記登録要求を行ったユーザを示すユーザ情報を取得する取得手段と、
前記登録要求受付手段により登録要求を受け付けた前記コンテンツと、前記取得手段で取得した前記ユーザ情報とを紐づけて管理する管理手段と、
前記登録要求受付手段により限定公開の指示を受け付けた前記コンテンツの登録要求を受け付けた後にセッションが切断されると、当該セッション切断後に表示される前記カートの画面において、当該セッション切断前に前記登録要求受付手段により登録要求を受け付けた限定公開の前記コンテンツであって、前記管理手段で管理する前記ユーザと紐づく前記コンテンツを表示しない前記カートの画面を生成するカート画面生成手段と
を備えることを特徴とするウェブシステム。
【請求項２】
コンテンツの登録を行ったユーザから前記コンテンツの一般公開の指示を受け付ける一般公開受付手段を備え、
前記登録要求受付手段は、更に、前記一般公開受付手段により一般公開の指示を受け付けた前記コンテンツを前記カートに登録する登録要求を受け付け、
前記カート画面生成手段は、前記管理手段により前記ユーザ情報と紐づいて管理されているコンテンツが、一般公開の指示を受け付けた前記コンテンツである場合には、一般公開の指示を受け付けた前記コンテンツを表示した前記カートの画面を生成することを特徴とする請求項１記載のウェブシステム。
【請求項３】
前記限定公開受付手段は、前記コンテンツの限定公開の指示を受け付ける際に、合言葉の入力を受け付け、
前記限定公開受付手段により限定公開の指示を受け付けた前記コンテンツは、前記限定公開受付手段で受け付けた合言葉と同じ言葉の入力が行われた場合に、前記登録要求受付手段による前記カートへの前記コンテンツの登録要求を可能とすることを特徴とする請求項１または２に記載のウェブシステム。
【請求項４】
前記カート画面生成手段は、セッション切断前に登録された前記ユーザと紐づく前記コンテンツを表示しない前記カートの画面を生成する際に、前記コンテンツを表示しない要因をユーザが認識可能となるような前記カートの画面を生成することを特徴とする請求項１乃至３のいずれか１項に記載のウェブシステム。
【請求項５】
前記登録要求受付手段により限定公開の指示を受け付けた前記コンテンツの登録要求を受け付けた後にセッションが切断されると、当該セッション切断後に表示される前記カートの画面において、当該セッション切断前に前記登録要求受付手段により登録要求を受け付けた限定公開の前記コンテンツであって、前記管理手段で管理する前記ユーザと紐づく前記コンテンツの購入を受け付けないように制御する制御手段を備えることを特徴とする請求項１乃至４のいずれか１項に記載のウェブシステム。
【請求項６】
コンテンツを登録し、登録されているコンテンツを公開するウェブシステムの制御方法であって、
前記ウェブシステムの限定公開受付手段が、コンテンツの登録を行ったユーザから前記コンテンツの限定公開の指示を受け付ける限定公開受付工程と、
前記ウェブシステムの登録要求受付手段が、前記限定公開受付工程で限定公開の指示を受け付けた前記コンテンツを購入するためのカートに前記コンテンツを登録する登録要求を受け付ける登録要求受付工程と、
前記ウェブシステムの取得手段が、前記登録要求を行ったユーザを示すユーザ情報を取得する取得工程と、
前記ウェブシステムの管理手段が、前記登録要求受付工程で登録要求を受け付けた前記コンテンツと、前記取得工程で取得した前記ユーザ情報とを紐づけて管理する管理工程と、
前記ウェブシステムのカート画面生成手段が、前記登録要求受付工程で限定公開の指示を受け付けた前記コンテンツの登録要求を受け付けた後にセッションが切断されると、当該セッション切断後に表示される前記カートの画面において、当該セッション切断前に前記登録要求受付工程で登録要求を受け付けた限定公開の前記コンテンツであって、前記管理工程で管理する前記ユーザと紐づく前記コンテンツを表示しない前記カートの画面を生成するカート画面生成工程と
を備えることを特徴とするウェブシステムの制御方法。
【請求項７】
コンピュータを、請求項１乃至５のいずれか１項に記載のウェブシステムの各手段として機能させるためのコンピュータプログラム。
【手続補正２】
【補正対象書類名】明細書
【補正対象項目名】０００１
【補正方法】変更
【補正の内容】
【０００１】
ウェブシステム、ウェブシステムにおける制御方法、コンピュータプログラムに関し、限定公開の指示を受け付けたコンテンツのカートへの登録要求を受け付けた後にセッションが切断されると、当該セッション切断後に表示されるカートの画面において、当該セッション切断前に登録要求を受け付けた限定公開のコンテンツを表示しないカートの画面を生成することにより、セキュリティを高める仕組みに関する。
【手続補正３】
【補正対象書類名】明細書
【補正対象項目名】０００９
【補正方法】変更
【補正の内容】
【０００９】
本発明は、限定公開の指示を受け付けたコンテンツのカートへの登録要求を受け付けた後にセッションが切断されると、当該セッション切断後に表示されるカートの画面において、当該セッション切断前に登録要求を受け付けた限定公開のコンテンツを表示しないカートの画面を生成することにより、セキュリティを高めることを目的とする。
【手続補正４】
【補正対象書類名】明細書
【補正対象項目名】００１０
【補正方法】変更
【補正の内容】
【００１０】
本発明は、コンテンツを登録し、登録されているコンテンツを公開するウェブシステムであって、コンテンツの登録を行ったユーザから前記コンテンツの限定公開の指示を受け付ける限定公開受付手段と、前記限定公開受付手段により限定公開の指示を受け付けた前記コンテンツを購入するためのカートに前記コンテンツを登録する登録要求を受け付ける登録要求受付手段と、前記登録要求を行ったユーザを示すユーザ情報を取得する取得手段と、前記登録要求受付手段により登録要求を受け付けた前記コンテンツと、前記取得手段で取得した前記ユーザ情報とを紐づけて管理する管理手段と、前記登録要求受付手段により限定公開の指示を受け付けた前記コンテンツの登録要求を受け付けた後にセッションが切断されると、当該セッション切断後に表示される前記カートの画面において、当該セッション切断前に前記登録要求受付手段により登録要求を受け付けた限定公開の前記コンテンツであって、前記管理手段で管理する前記ユーザと紐づく前記コンテンツを表示しない前記カートの画面を生成するカート画面生成手段とを備えることを特徴とする。
【手続補正５】
【補正対象書類名】明細書
【補正対象項目名】００１１
【補正方法】変更
【補正の内容】
【００１１】
また、本発明は、コンテンツを登録し、登録されているコンテンツを公開するウェブシステムの制御方法であって、前記ウェブシステムの限定公開受付手段が、コンテンツの登録を行ったユーザから前記コンテンツの限定公開の指示を受け付ける限定公開受付工程と、前記ウェブシステムの登録要求受付手段が、前記限定公開受付工程で限定公開の指示を受け付けた前記コンテンツを購入するためのカートに前記コンテンツを登録する登録要求を受け付ける登録要求受付工程と、前記ウェブシステムの取得手段が、前記登録要求を行ったユーザを示すユーザ情報を取得する取得工程と、前記ウェブシステムの管理手段が、前記登録要求受付工程で登録要求を受け付けた前記コンテンツと、前記取得工程で取得した前記ユーザ情報とを紐づけて管理する管理工程と、前記ウェブシステムのカート画面生成手段が、前記登録要求受付工程で限定公開の指示を受け付けた前記コンテンツの登録要求を受け付けた後にセッションが切断されると、当該セッション切断後に表示される前記カートの画面において、当該セッション切断前に前記登録要求受付工程で登録要求を受け付けた限定公開の前記コンテンツであって、前記管理工程で管理する前記ユーザと紐づく前記コンテンツを表示しない前記カートの画面を生成するカート画面生成工程とを備えることを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本発明によれば、限定公開の指示を受け付けたコンテンツのカートへの登録要求を受け付けた後にセッションが切断されると、当該セッション切断後に表示されるカートの画面において、当該セッション切断前に登録要求を受け付けた限定公開のコンテンツを表示しないカートの画面を生成することにより、セキュリティを高めることができる。